(57)【要約】【課題】固定設置される外筒体と、上下に開口し上方の開口は蓋体によって塞がれる内筒体とを備え、内筒体を周方向に回動することでその内筒体が上記外筒体の内周面に沿って昇降する地下構造物用筐体に関し、内筒体のガタつきを抑える。【解決手段】内筒体２０が、外周面２０１に螺旋状に続く雄ネジ２３を有するものであり、外筒体１０が、内周面１０２に、雄ネジ２３と平行な螺旋状の軌跡に沿って周方向に間隔をあけて設けられた複数のネジ山部１３１によって形成された雌ネジ部１３と、その間隔に設けられ内筒体２０側に突出し、下面１４２が上記螺旋状の軌跡とは異なる軌跡に沿った突条片１４とを有するものであり、この地下構造物用筐体１がさらに、ネジ山部１３１の上面１３１１に雄ネジ２３が接している状態で突条片１４の下面１４２に当接し内筒体２０の回動を阻止する固定爪２６を備える。【選択図】        図６
2010043469.tif 000002
【特許請求の範囲】
【請求項１】
固定設置される外筒体と、上下に開口し上方の開口は蓋体によって塞がれる内筒体とを備え、該内筒体を周方向に回動することで該内筒体が該外筒体の内周面に沿って昇降する地下構造物用筐体において、
前記内筒体が、外周面に螺旋状に続く雄ネジを有するものであり、
前記外筒体が、内周面に、前記雄ネジと平行な螺旋状の軌跡に沿って周方向に間隔をあけて設けられた複数のネジ山部によって形成された雌ネジ部と、該間隔に設けられ前記内筒体側に突出し、下面が前記螺旋状の軌跡とは異なる軌跡に沿った突条片とを有するものであり、
この地下構造物用筐体がさらに、前記ネジ山部の上面に前記雄ネジが接している状態で前記突条片の下面に当接し前記内筒体の回動を阻止する固定爪を備えたことを特徴とする地下構造物用筐体。
【請求項２】
固定設置される外筒体と、上下に開口し上方の開口は蓋体によって塞がれる内筒体とを備え、該内筒体を周方向に回動することで該内筒体が該外筒体の内周面に沿って昇降する地下構造物用筐体において、
前記内筒体が、外周面に螺旋状に続く雄ネジを有するものであり、
前記外筒体が、内周面に、前記雄ネジと平行な螺旋状の軌跡に沿って周方向に間隔をあけて設けられた複数のネジ山部によって形成された雌ネジ部と、該間隔に設けられ前記内筒体側に突出し、下面が周方向両側に設けられたネジ山部の下面よりも上方に位置する突条片とを有するものであり、
この地下構造物用筐体がさらに、前記ネジ山部の上面に前記雄ネジが接している状態で前記突条片の下面に当接し前記内筒体の回動を阻止する固定爪を備えたことを特徴とする地下構造物用筐体。
【請求項３】
前記突条片は、上面が周方向両側に設けられたネジ山部の上面よりも下方に位置するものであることを特徴とする請求項１又は２記載の地下構造物用筐体。
【発明の詳細な説明】
【技術分野】
【０００１】
本発明は、固定設置される外筒体と、上下に開口し上方の開口は蓋体によって塞がれる内筒体とを備え、上記内筒体を周方向に回動することでその内筒体が上記外筒体の内周面に沿って昇降する地下構造物用筐体に関する。
【背景技術】
【０００２】
地中に埋設された水道管等の仕切弁を地上から操作することができるよう、その仕切弁の上には筐体が設置される。この筐体の上端は地面と同じ高さ位置で開口しており、開口は蓋体によって塞がれる。作業時にはこの蓋体を開けて地上から仕切弁を操作する。
【０００３】
従来より、筐体の上端位置を地面と同じ高さ位置に合わせることを容易にするため、外筒体と内筒体を備えたネジ式筐体が用いられている。外筒体は地中に設けられた躯体に固定設置され、内筒体は上下に開口し上方の開口が蓋体によって塞がれる。このネジ式筐体では、内筒体の上方の開口を地面と同じ高さ位置に合わせる必要があり、内筒体の外周面と外筒体の内周面に螺合構造が設けられている。この螺合構造によって、内筒体を周方向に回動することで内筒体が、固定設置された外筒体の内周面に沿って昇降する。内筒体を回動させその上方の開口の位置が地面と同じ高さ位置に一致すると、内筒体が回動しないように内筒体を固定する必要が生じる。そこで、内筒体の内側に固定爪を設けるとともに内筒体には貫通孔を設け、内筒体の内側からその貫通孔を通して外筒体に固定爪の先端部分を突出させ、内筒体を外筒体に固定する提案がなされている（特許文献１参照）。この提案では、外筒体の内周面に雌ネジを設けるとともに内筒体の外周面に雄ネジを設けている。雌ネジは螺旋状につながった一本のネジ山によって形成され、その一本のネジ山の上下方向の間に、内筒体に設けられた雄ネジが入り込み、雌ネジと雄ネジが噛合する。また、この提案では、図１に示すようにして、内筒体を外筒体に固定している。
【０００４】
図１は、特許文献１に記載されたネジ式筐体における内筒体の固定方法を説明するための図である。
【０００５】
特許文献１に記載されたネジ式筐体では、内筒体の雄ネジ８１と固定爪８２の先端部分とで外筒体９０の雌ネジ部を形成するネジ山９１を挟み込んで内筒体を外筒体に固定する。図１では、内筒体の内側から外筒体９０側を見たときの様子を誇張して表しており、内筒体の雄ネジ８１と固定爪８２が紙面奥側に向かって突出しており、外筒体９０のネジ山９１が紙面手前側に向かって突出している。
【特許文献１】特許第３５１５０９０号公報
【発明の開示】
【発明が解決しようとする課題】
【０００６】
しかしながら、固定設置された外筒体９０に設けられた螺旋状につながった一本のネジ山９１は、図１に示すように傾斜したものである。このため、そのネジ山９１を内筒体の雄ネジ８１と固定爪８２とで挟み込んでいたとしても、内筒体の雄ネジ８１や固定爪８２は、その一本につながったネジ山９１に沿って滑りやすく（図１の左上に示す右斜め下を向く矢印参照）、内筒体の固定がゆるみやすい。内筒体の固定がゆるむと、蓋体によって塞がれた筐体の上を通過する車両等の振動により内筒体は回転しやすくなる。この結果、筐体の上を車両等が通過するたびに、内筒体が周方向に往復動するように回動し（図１の中央に示す左斜め上を向く矢印及び右斜め下を向く矢印参照）、ネジ山が摩耗してしまう。ネジ山９１が摩耗してくると、内筒体全体が下がり（図１の右上に示す下向きの矢印参照）、ネジ山９１の下面９１１と固定爪８２との距離が開き、内筒体の固定がさらにゆるんで内筒体の上下方向のガタつきが大きくなるといった問題が生じる。
【０００７】
本発明は上記事情に鑑み、内筒体のガタつきを抑えた地下構造物用筐体を提供することを目的とするものである。
【課題を解決するための手段】
【０００８】
上記目的を解決する本発明の第１の地下構造物用筐体は、固定設置される外筒体と、上下に開口し上方の開口は蓋体によって塞がれる内筒体とを備え、その内筒体を周方向に回動することでその内筒体がその外筒体の内周面に沿って昇降する地下構造物用筐体において、
上記内筒体が、外周面に螺旋状に続く雄ネジを有するものであり、
上記外筒体が、内周面に、上記雄ネジと平行な螺旋状の軌跡に沿って周方向に間隔をあけて設けられた複数のネジ山部によって形成された雌ネジ部と、その間隔に設けられ上記内筒体側に突出し、下面が上記螺旋状の軌跡とは異なる軌跡に沿った突条片とを有するものであり、
この地下構造物用筐体がさらに、上記ネジ山部の上面に上記雄ネジが接している状態で上記突条片の下面に当接し上記内筒体の回動を阻止する固定爪を備えたことを特徴とする。
【０００９】
本発明の第１の地下構造物用筐体によれば、上記外筒体が、上記ネジ山部とは異なる突条片を有するものであり、その突条片の下面が、上記ネジ山部と非平行であるため、詳しくは後述するように、上記内筒体の回動が阻止されるか、あるいは上記突条片が滑って上記内筒体が回動しそうになっても、上記固定爪が上記ネジ山部に当接し上記内筒体の回動が阻止される。したがって、この第１の地下構造物用筐体では、内筒体のガタつきが抑えられる。
【００１０】
上記目的を解決する本発明の第２の地下構造物用筐体は、固定設置される外筒体と、上下に開口し上方の開口は蓋体によって塞がれる内筒体とを備え、その内筒体を周方向に回動することでその内筒体がその外筒体の内周面に沿って昇降する地下構造物用筐体において、
上記内筒体が、外周面に螺旋状に続く雄ネジを有するものであり、
上記外筒体が、内周面に、上記雄ネジと平行な螺旋状の軌跡に沿って周方向に間隔をあけて設けられた複数のネジ山部によって形成された雌ネジ部と、その間隔に設けられ上記内筒体側に突出し、下面が周方向両側に設けられたネジ山部の下面よりも上方に位置する突条片とを有するものであり、
この地下構造物用筐体がさらに、上記ネジ山部の上面に上記雄ネジが接している状態で上記突条片の下面に当接し上記内筒体の回動を阻止する固定爪を備えたことを特徴とする。
【００１１】
本発明の第２の地下構造物用筐体によれば、上記外筒体が、上記ネジ山部とは異なる突条片を有するものであり、その突条片の下面が、上記ネジ山部の下面よりも上方に位置するため、上記突条片が滑って上記内筒体が回動しそうになっても、上記固定爪が上記ネジ山部に当接し上記内筒体の回動が阻止される。したがって、この第２の地下構造物用筐体でも、内筒体のガタつきが抑えられる。
【００１２】
ここで、上記第１の地下構造物用筐体であっても上記第２の地下構造物用筐体であっても、上記固定爪は、上記内筒体とともに回動するものであってもよし、上記内筒体とは別個独立して回動するものであってもよい。また、上記突条片の下面は水平なものであってもよいが、これに限られるものではない。
【００１３】
また、上記第１の地下構造物用筐体または上記第２の地下構造物用筐体において、上記突条片は、上面が周方向両側に設けられたネジ山部の上面よりも下方に位置するものであることが好ましい。
【００１４】
こうすることで、上記雄ネジと上記突条片の接触面積が０になり、摩擦抵抗が軽減する。また、上記雄ネジが上記突条片に接し続けることによってその雄ネジ又はその突条片に生じる錆付きが防止される。一旦高さ調整を行った地下構造物用筐体を、道路の再舗装等によって再び高さ調整する場合が生じても、これらのことにより、固定配置された外筒体に対して内筒体を容易に回動することができる。
【発明の効果】
【００１５】
本発明の地下構造物用筐体によれば、内筒体のガタつきが抑えられる。
【発明を実施するための最良の形態】
【００１６】
以下図面を参照して本発明の実施の形態を説明する。
【００１７】
図２は、本発明の地下構造物用筐体の一実施形態である、ネジ式仕切弁筐の斜視図である。
【００１８】
図２に示すネジ式仕切弁筐１は、外筒体１０と内筒体２０を有する二重筒構造体であり、地中に設置される。外筒体１０も内筒体２０もいずれも鋳鉄製のものである。外筒体１０は、不図示の躯体にボルトによって固定設置される。この外筒体１０は、下部フランジ１１を有し、その下部フランジ１１には、躯体にボルト止めする際にボルトを通す固定用孔１１１が周方向に沿って等間隔に設けられている。また、外筒体１０の外周面１０１には、周方向に６０°間隔で６つの張出部１２が設けられている。図２には、蓋体９も示されている。
【００１９】
図３は、外筒体と内筒体を上下方向に沿って切断した状態を表す図（断面斜視図）である。
【００２０】
図３に示すように、内筒体２０は上下に開口２０ａ，２０ｂを有し、上方の開口２０ａは図２に示す蓋体９によって塞がれる。図２に示すネジ式仕切弁筐１は、地中に埋設された水道管等の仕切弁（不図示）の上に設置され、仕切弁を操作する場合には、この蓋体９を開けて仕切弁を操作する。また、ネジ式仕切弁筐１では、蓋体９の上面９１を地面と同じ高さ位置に合わせるため、内筒体２０の上方の開口２０ａが地面と同じ高さ位置になるように内筒体２０の高さ位置調整が行われる。ネジ式仕切弁筐１には、この高さ位置調整を容易にするため、外筒体１０の内周面１０２と内筒体２０の外周面２０１とに螺合構造が設けられている。
【００２１】
本実施形態のネジ式仕切弁筐１では、螺合構造として、外筒体１０の内周面１０２には雌ネジ部１３が設けられており、内筒体２０の外周面２０１には雄ネジ２３が設けられている。したがって、不図示の躯体に固定設置された外筒体１０に対して、内筒体２０を周方向に回動させることで、その内筒体２０は昇降し、内筒体２０の上方の開口２０ａを地面と同じ高さ位置に容易に合わせることができる。この螺合構造については、詳しくは後述する。また、内筒体２０には受け座２５が設けられている。この受け座２５には、固定爪２６が回動自在にボルト２７によって取り付けられている。
【００２２】
図４は、図２に示す内筒体を斜め下から見たときの図（斜視図）である。
【００２３】
図４には、内筒体２０の下方の開口２０ｂが示されている。この図４に示すように、内筒体２０の下端部には、周方向３箇所に受け座２５が設けられている。図４に示す３つの受け座２５それぞれには、固定爪２６がボルト２７によって取り付けられる。これら３つの受け座２５はそれぞれ高さ位置が異なる。すなわち、図４の左奧に示された受け座２５は、３つの受け座２５のうちで最も高い位置に設けられたものであり、図４の中央手前に示された受け座２５は、３つの受け座２５のうちで最も低い位置に設けられたものである。これら３つの受け座２５の高さ位置関係は、外周面２０１に設けられた雄ネジ２３のリード角に応じた関係である。また、左奧に示す、最も高い位置に設けられた受け座２５の上面２５１には、内筒体２０の半径方向（内外方向）に延びた長孔２５２が設けられており、残り２つの受け座２５それぞれの上面２５１には、丸孔２５４が設けられている。これらの長孔２５２や丸孔２５４それぞれには、図３に示すボルト２７が上方から差し込まれる。図３に示すように、ボルト２７には、固定爪２６が螺合しており、このボルト２７を締め込むことによって、固定爪２６は上昇する。また、内筒体２０の下縁２０５は、上方へ切り欠いた３つの切欠２０５１を有する。受け座２５とこの切欠２０５１は通じており、この切欠２０５１を通して、図３に示す固定爪２６が外筒体１０側に突出する。なお、受け座２５は、内筒体２０の下縁２０５を上方へ切り欠いた切欠２０５１に通じるものであり、その切欠２０５１は下方が開口したものであるから、この受け座２５は、内周壁２０の周壁を貫通するものではない。
【００２４】
さらに、図４には、内筒体２０の外周を周回する、螺旋状に１本につながった雄ネジ２３が示されている。この図４に示すように、雄ネジ２３は、内筒体２０の下半分側に設けられたものである。
【００２５】
続いて、図２に示す外筒体１０について詳述する。
【００２６】
図５は、図２に示す外筒体を上下方向に沿って切断した状態を斜め上から見たときの図（断面斜視図）である。
【００２７】
図５に示す外筒体１０の内周面１０２には、図４に示す雄ネジ２３と平行な螺旋状の軌跡に沿って周方向（図中の矢印参照）に間隔をあけて設けられた複数のネジ山部１３１が設けられている。ネジ山部１３１は、上下方向に複数段にわたっても設けられており、外筒体１０の内周面１０２の上から下までネジ山部１３１が設けられている。
【００２８】
また、その内周面１０２の、周方向に隣合うネジ山部１３１とネジ山部１３１の間には、内側に向けて突出した突条片１４が設けられている。この突条片１４は、ネジ山部１３１とは別体のものである。また、突条片１４は、外筒体１０の外周面１０１に設けられた張出部１２の位置に設けられている。したがって、突条片１４は、外筒体１０の内周面１０２に、周方向に６０°間隔で設けられている。外筒体１０における内周面１０２の、張出部１２が設けられた部分は外側に窪んでおり、突条片１４は、ネジ山部１３１よりも外側から内側に向かって突出したものである。以下、外筒体１０における内周面１０２側で、ネジ山部１３１よりも外側に窪んだ部分を凹部１０３と称する。突条片１４は、この凹部１０３から内側に突出している。
【００２９】
さらに、外筒体１０の下端部には、内側に向けて延在した下限ストッパ１５が設けられている。この下限ストッパ１５は、周方向に回動されて下降してきた内筒体２０に当接し、図４に示す内筒体２０の下端２０５が、外筒体１０の下縁１０５を越えてまで下降することを防止するものである。
【００３０】
図６は、図２に示す外筒体を上下方向に沿って切断した状態を正面から見たときの図（断面正面図）である。
【００３１】
この図６に示す複数のネジ山部１３１のうち、紙面手前に向かって突出したネジ山部１３１は、図４に示す雄ネジ２３と平行な螺旋状の軌跡に沿って右斜め下に傾斜している。一方、図６に示す複数の突条片１４のうち、紙面手前に向かって突出した突条片１４は、一見すると水平方向に延在している。この紙面手前に向かって突出した突条片１４が設けられた丸で囲まれた部分は、図６の下方に拡大して示されている。図６に拡大して示された突条片１４を参照すると、突条片１４は、突出方向先端に向かって厚みが薄くなるものである。すなわち、突条片１４の上面１４１は、突出方向先端に向かうにつれて漸次下方へ傾斜した面であり、その下面１４２は、突出方向先端に向かうにつれて漸次上方へ傾斜した面である。なお、ネジ山部１３１も、突条片１４１と同様に突出方向先端に向かって厚みが薄くなるものであるが、ネジ山部１３１の上面１３１１の傾斜角度やその下面１３１２の傾斜角度は、突条片１４１のそれらとは異なる。また、突条片１４の突出先端下縁１４２１は水平に延びる縁である。したがって、突条片１４の下面１４２は、図４に示す雄ネジ２３の螺旋状の軌跡とは異なる軌跡に沿った面である。一方、図６の下方の拡大図に示すように、突条片１４の上面１４１は、わずかに右斜め下にも傾斜している。すなわち、突出先端下縁１４２１が水平である突出先端面１４０の左端の厚み（高さ）ＨＬは８ｍｍであり、右端の厚み（高さ）ＨＲは６ｍｍである。また、突条片１４の下面１４２は、周方向両側に設けられたネジ山部１３１の下面１３１２よりも上方に位置する。さらに、本実施形態のネジ式仕切弁筐１では、突条片１４の上面１４１は、周方向両側に設けられたネジ山部１３１の上面１３１１よりも下方に位置する。このため、雄ネジ２３と突条片１４の接触面積が０になり、摩擦抵抗が軽減する。また、雄ネジ２３が突条片１４に接し続けることによってその雄ネジ２３又はその突条片１４に生じる錆付きが防止される。一旦高さ調整を行ったネジ式仕切弁筐１を、道路の再舗装等によって再び高さ調整する場合が生じても、これらのことにより、固定配置された外筒体１０に対して内筒体２０を容易に回動することができる。
【００３２】
外筒体１０の雌ネジ部１３は、上下方向に間隔をあけて設けられたネジ山部１３１によって形成される。すなわち、上下方向に隣り合うネジ山部１３１とネジ山部１３１の間に、図３や図４に示す内筒体２０の雄ネジ２３が入り込み、雌ネジ部１３と雄ネジ２３が噛合する。なお、複数の突条片１４はいずれも、ネジ山部１３１とは別体であるとともに雄ネジ２３の螺旋状の軌跡とは異なる軌跡に沿ったものであり、その雄ネジ２３と接しておらず、雌ネジ部１３を形成するものではない。
【００３３】
図７は、図２に示す外筒体を上方から見たときの図（平面図）である。
【００３４】
図７にも、複数のネジ山部１３１が示されているとともに、周方向に隣り合うネジ山部１３１の間には突条片１４も示されている。凹部１０３から内側に突出している突条片１４の突出先端面１４０は、ネジ山部１３１の突出先端面１３１０よりもわずかに外側に位置している。また、図７にも、下限ストッパ１５が示されている。
【００３５】
次に、図８とともにこれまで用いた図面をもう一度参照しながら固定爪２６について詳述する。
【００３６】
図８は、本実施形態のネジ式仕切弁筐を下方から見たときの半分を示す図（部分背面図）である。
【００３７】
図８に示す３時の方向を向いた右側の固定爪２６は、７時の方向を向いた左側の固定爪２６、および図示されていないもう一つの固定爪よりも、外筒体１０側に突出する長さが長いものである。以下、この突出長が長い固定爪を長固定爪２６１と称し、残り２つの固定爪を短固定爪２６２と称することにする。長固定爪２６１は、図４に示す長孔２５２が設けられた受け座２５に取り付けられたものであり、短固定爪２６２は、図４に示す丸孔２５４が設けられた受け座２５に取り付けられたものである。図３に示すように、内外方向に延びた長孔２５２に差し込まれたボルト２７をその長孔２５２の外側いっぱいの位置にすると、長固定爪２６１の先端部分が、外筒体１０の凹部１０３（図５参照）に入り込んだ状態になる。この状態で、ボルト２７を締め込むと、長固定爪２６１の先端部分は、凹部１０３内で突条片１４の下面１４２（図６参照）に当接する。なお、長孔２５２に差し込まれたボルト２７をその長孔２５２の内側いっぱいの位置にすると、長固定爪２６１の先端部分は突条片１４よりも内側に引っ込む。一方、短固定爪２６２の先端部分は、外筒体１０の凹部１０３までは入り込んでおらず、ボルト２７を締め込むと、短固定爪２６２の先端部分は、凹部１０３よりも内側で突条片１４の下面１４２に当接する。
【００３８】
続いて、本実施形態のネジ式仕切弁筐１における、内筒体２０の高さ位置調整から内筒体２０の固定までについて説明する。本実施形態のネジ式仕切弁筐１では、内筒体２０を周方向に回動させ、内筒体２０の上方の開口２０ａを地面と同じ高さ位置に合わせた後、内筒体２０が回動しないように、躯体に固定設置された外筒体１０に内筒体２０を固定する。内筒体２０の高さ位置調整の段階では、図８に示す長固定爪２６１は受け座２５に取り付けられていないが、残り２つの短固定爪２６２は、ボルト２７を緩めた状態で受け座２５に取り付けられている。
【００３９】
内筒体２０の高さ位置調整が終了すると、長固定爪２６１を長孔２５２が設けられた受け座２５に取り付ける。上述のごとく、長固定爪２６１が取り付けられる受け座２５は、図４に示す３つの受け座２５のうち最も高い位置に設けられた受け座であり、内筒体２０の上方の開口２０ａに最も近い受け座２５であることから長固定爪２６１を取り付けやすい。図４に示すように、受け座２５は下方に開口しており、長固定爪２６１は受け座２５の下側から受け座２５に宛がわれる。次いで、ボルト２７を、その受け座２５に設けられた長孔２５２の内側いっぱいの位置から挿入し、長固定爪２６１を受け座２５に取り付ける。ここでは、ボルト２７を完全には締め込まず、緩めた状態にしておく。
【００４０】
続いて、そのボルト２７を長孔２５２の外側いっぱいの位置まで移動させ、受け座２５に取り付けた長固定爪２６１の先端部分を外筒体１０の凹部１０３に入れ込む。この際、長固定爪２６１の先端部分の位置と凹部１０３の位置がズレている場合がある。この場合には内筒体２０を少し回動させる。凹部１０３は６０°間隔で設けられたものであるから、内筒体２０を多くても３０°程度回動させれば、両者の位置は一致する。長固定爪２６１の先端部分が凹部１０３に入り込むと、３本のボルト２７総てを締め込む。こうすることで、長固定爪２６１と２つの短固定爪２６２は上昇し、いずれの固定爪２６の先端部分も、外筒体１０に設けられた突条片１４の下面１４２に下方から接する。このように、長固定爪２６１と２つの短固定爪２６２が周方向に１２０°間隔で突条片１４に接することにより、内筒体２０の水平方向のガタつきが防止される。しかも、外筒体１０における雌ネジ部１３を形成するネジ山部１３１は、内筒体２０における雄ネジ１３によって上方から押さえ込まれる。すなわち、外筒体１０のネジ山部１３１の上面１３１１（図６参照）に雄ネジ１３が接している状態で固定爪２６が突条片１４の下面１４２に当接し、内筒体２０の回動が阻止される。
【００４１】
さらに、短固定爪２６２の先端部分は、外筒体１０の凹部１０３に入り込んでいないが、長固定爪２６１の先端部分は、その凹部１０３に入り込んでいる。長固定爪２６１の先端部分が、凹部１０３のちょうど真ん中（周方向中央部分）から少しずれてその凹部１０３に入り込むと、長固定爪２６１の先端部分は凹部１０３を画定する周方向両側の側壁１０３１（図５参照）に接する。その側壁１０３１に接した長固定爪２６１によって、内筒体２０の回動が阻止される。
【００４２】
図９は、本実施形態のネジ式仕切弁筐における内筒体の固定方法を説明するための図である。
【００４３】
この図９では、内筒体２０の内側から外筒体１０側を見たときの様子を誇張して表しており、内筒体２０の雄ネジ２３と固定爪２６が紙面奥側に向かって突出しており、外筒体１０に設けられた、ネジ山部１３１および突条片１４が紙面手前側に向かって突出している。また、図９の中央上には、外筒体１０のネジ山部１３１の上面１３１１に雄ネジ２３が接している状態で固定爪２６が突条片１４の下面１４２に当接している状態が示されている。本来であれば、内筒体２０の回動は阻止されているはずであるが、蓋体９によって塞がれたネジ式仕切弁筐１の上を通過する車両等の振動が長年続くことにより、ボルト２７の締め付けが緩んだとする。内筒体２０が上昇する方向に回動する場合には、内筒体２０に設けられた受け座２５（図４等参照）に取り付けられた固定爪２６は、雄ネジ２３の螺旋状の軌跡に沿って図の左斜め上に移動する。一方、内筒体２０が下降する方向に回動する場合には、固定爪２６は、雄ネジ２３の螺旋状の軌跡に沿って図の右斜め下に移動する。
【００４４】
しかし、図９の左下に示すごとく、固定爪２６が図の左斜め上に移動しようとしても、突条片１４の突出先端縁１４２１（図６参照）が水平であることから、固定爪２６は移動することができず、内筒体２０の上昇する方向への回動が阻止される。また、図９の右下に示すごとく、固定爪２６が図の右斜め下に移動し始めると、その固定爪２６がネジ山部１３１に当接し、固定爪２６はそれ以上移動することができず、内筒体２０の下降する方向への回動も阻止される。したがって、本実施形態のネジ式仕切弁筐１によれば、内筒体２０のガタつきが抑えられる。
【００４５】
続いて、本実施形態のネジ式仕切弁筐１の変形例について説明する。以下の変形例の説明においては、これまで説明した構成要素と同じ名前の構成要素には、これまで使用した符号と同じ符号を用いる。また、これまでの説明と重複する説明については省略する。
【００４６】
図１０は、本実施形態のネジ式仕切弁筐の第１変形例における内筒体の固定方法を説明するための図である。
【００４７】
図１０に示す第１変形例は、突条片１４の下面１４２が、ネジ山部１３１の下面１３１２よりも下方に位置すること以外は、図２に示すネジ式仕切弁筐１と同じ構成である。
【００４８】
この第１変形例でも、図１０の左下に示すごとく、固定爪２６が図の左斜め上に移動しようとしても、突条片１４の突出先端縁１４２１（図６参照）が水平であることから、固定爪２６は移動することができず、内筒体２０の上昇する方向への回動が阻止される。また、図１０の右下に示すごとく、固定爪２６の図の右斜め下への移動は許容され、内筒体２０の下降する方向への回動も許容される。ただし、内筒体２０が回動すると、長固定爪２６１の先端部分が、凹部１０３を画定する周方向両側の側壁１０３１（図５参照）に接っし、内筒体２０の回動が阻止される。また、内筒体２０が上昇する方向へ回動すると、内筒体２０の上方の開口２０ａが地面よりも高くなり、通過する車両の障害になって問題が大きくなるが、内筒体２０が下降する方向へ回動しても、車両がネジ式仕切弁筐１に載りにくくなるだけであり、内筒体２０が上昇する方向へ回動する場合に比べて問題になりにくい。
【００４９】
図１１は、本実施形態のネジ式仕切弁筐の第２変形例における内筒体の固定方法を説明するための図である。
【００５０】
図１１に示す第２変形例は、突条片１４の突出先端縁１４２１（図６参照）が、雄ネジ２３の螺旋状の軌跡とは逆方向に傾斜しており、突条片１４の下面１４２が、ネジ山部１３１の下面１３１２よりも下方に位置する以外は、図２に示すネジ式仕切弁筐１と同じ構成である。
【００５１】
この第２変形例でも、図１１の左下に示すごとく、固定爪２６が図の左斜め上に移動しようとしても、突条片１４の突出先端縁１４２１（図６参照）の傾斜によって、固定爪２６は移動することができず、内筒体２０の上昇する方向への回動が強固に阻止される。また、図１１の右下に示すごとく、固定爪２６の図の右斜め下への移動は許容され、内筒体２０の下降する方向への回動も許容されるが、第１変形例と同じく、凹部１０３を画定する周方向両側の側壁１０３１（図５参照）によって、内筒体２０の回動が阻止される。また、内筒体２０が下降する方向への回動は、内筒体２０の上昇する方向への回動に比べ問題になりにくい。
【００５２】
図１２は、本実施形態のネジ式仕切弁筐の第３変形例における内筒体の固定方法を説明するための図である。
【００５３】
図１２に示す第３変形例は、突条片１４が、雄ネジ２３の螺旋状の軌跡と同じ軌跡に沿ったものである以外は、図２に示すネジ式仕切弁筐１と同じ構成である。すなわち、第３変形例における突条片１４の下面１４２も、ネジ山部１３１の下面１３１２よりも上方に位置している。
【００５４】
この第３変形例では、図１２の左下に示すごとく、固定爪２６が図の左斜め上に移動し始めると、その固定爪２６がネジ山部１３１に当接し、固定爪２６はそれ以上移動することができず、内筒体２０の上昇する方向への回動が阻止される。また、図１２の右下に示すごとく、固定爪２６が図の右斜め下に移動し始めても、その固定爪２６がネジ山部１３１に当接し、固定爪２６はそれ以上移動することができず、内筒体２０の上昇する方向への回動も阻止される。
【００５５】
図１３は、本実施形態のネジ式仕切弁筐の第４変形例における内筒体の固定方法を説明するための図である。
【００５６】
図１３に示す第４変形例は、突条片１４の突出先端縁１４２１（図６参照）が、雄ネジ２３の螺旋状の軌跡の傾斜角度（θ１）よりも大きな傾斜角度（θ２）で傾斜しており、突条片１４の下面１４２が、ネジ山部１３１の下面１３１２よりも下方に位置する以外は、図２に示すネジ式仕切弁筐１と同じ構成である。
【００５７】
この第４変形例では、図１３の左下に示すごとく、固定爪２６が図の左斜め上に移動し始めると、その固定爪２６がネジ山部１３１に当接し、固定爪２６はそれ以上移動することができず、内筒体２０の上昇する方向への回動が阻止される。また、図１３の右下に示すごとく、固定爪２６の図の右斜め下への移動は許容され、内筒体２０の下降する方向への回動も許容されるが、第１変形例と同じく、凹部１０３を画定する周方向両側の側壁１０３１（図５参照）によって、内筒体２０の回動が阻止される。また、内筒体２０が下降する方向への回動は、内筒体２０の上昇する方向への回動に比べ問題になりにくい。
【００５８】
なお、ここで、突条片１４の突出先端縁１４２１の傾斜角度（θ２）は、雄ネジ２３の螺旋状の軌跡の傾斜角度（θ１）より小さなことが好ましい。こうすることで、図９に示す本実施形態や図１１に示す第２変形例のように、突条片１４の突出先端縁１４２１の傾斜によって、固定爪２６の移動を阻止することができる。また、突条片１４の周方向両側それぞれに設けられたネジ山部１３１のうち上方に位置するネジ山部１３９（図１３では左側のネジ山部）の、その突条片１４側の端面１３９１の下端位置１３９１ｈと同じ高さ位置か、あるいはその下端位置１３９１ｈよりも高い高さ位置に、その突条片１４の、その上方に位置するネジ山部１３９側の端面１４９の下端位置１４９ｈが位置していることも好ましい。こうすることで、固定爪２６が図の左斜め上に移動し始めると、その固定爪２６がその上方に位置するネジ山部１３９にすぐに当接する。
【００５９】
図１４は、本実施形態のネジ式仕切弁筐の第５変形例における内筒体の固定方法を説明するための図である。
【００６０】
図１４に示す第５変形例における突条片１４の突出先端縁１４２１はへの字状である。すなわち、突出先端縁１４２１は、雄ネジ２３の螺旋状の軌跡と同じ軌跡に沿った辺とそれとは逆方向に傾斜した辺とを周方向中央部分が凹むように突き合わせたものであり、突条片１４の下面１４２の中央部分が上方に凹んでいる。
【００６１】
この第４変形例でも、図１４の左下に示すごとく、固定爪２６が図の左斜め上に移動しようとしても、突条片１４の突出先端縁左側の傾斜１４２１Ｌによって、固定爪２６は移動することができず、内筒体２０の上昇する方向への回動が強固に阻止される。また、図１４の右下に示すごとく、固定爪２６が図の右斜め下に移動しようとしても、突条片１４の突出先端縁右側の傾斜１４２１Ｒによって、固定爪２６は移動することができず、内筒体２０の下降する方向への回動も強固に阻止される。
【図面の簡単な説明】
【００６２】
【図１】特許文献１に記載されたネジ式筐体における内筒体の固定方法を説明するための図である。
【図２】本発明の地下構造物用筐体の一実施形態である、ネジ式仕切弁筐の斜視図である。
【図３】外筒体と内筒体を上下方向に沿って切断した状態を表す図（断面斜視図）である。
【図４】図２に示す内筒体を斜め下から見たときの図（斜視図）である。
【図５】図２に示す外筒体を上下方向に沿って切断した状態を斜め上から見たときの図（断面斜視図）である。
【図６】図２に示す外筒体を上下方向に沿って切断した状態を正面から見たときの図（断面正面図）である。
【図７】図２に示す外筒体を上方から見たときの図（平面図）である。
【図８】本実施形態のネジ式仕切弁筐を下方から見たときの半分を示す図（部分背面図）である。
【図９】本実施形態のネジ式仕切弁筐における内筒体の固定方法を説明するための図である。
【図１０】本実施形態のネジ式仕切弁筐の第１変形例における内筒体の固定方法を説明するための図である。
【図１１】本実施形態のネジ式仕切弁筐の第２変形例における内筒体の固定方法を説明するための図である。
【図１２】本実施形態のネジ式仕切弁筐の第３変形例における内筒体の固定方法を説明するための図である。
【図１３】本実施形態のネジ式仕切弁筐の第４変形例における内筒体の固定方法を説明するための図である。
【図１４】本実施形態のネジ式仕切弁筐の第５変形例における内筒体の固定方法を説明するための図である。
【符号の説明】
【００６３】
１    ネジ式仕切弁筐
１０    外筒体
１０２    内周面
１３    雌ネジ部
１３１    ネジ山部
１３１１    上面
１４    突条片
１４２    下面
２０    内筒体
２０１    外周面
２０ａ，２０ｂ    開口
２３    雄ネジ
２５    受け座
２６    固定爪
２７    ボルト
【図１】
2010043469.tif 000003
【図２】
2010043469.tif 000004
【図３】
2010043469.tif 000005
【図４】
2010043469.tif 000006
【図５】
2010043469.tif 000007
【図６】
2010043469.tif 000008
【図７】
2010043469.tif 000009
【図８】
2010043469.tif 000010
【図９】
2010043469.tif 000011
【図１０】
2010043469.tif 000012
【図１１】
2010043469.tif 000013
【図１２】
2010043469.tif 000014
【図１３】
2010043469.tif 000015
【図１４】
2010043469.tif 000016